(57)【要約】      （修正有）【課題】水中の細菌に対して電解殺菌するか、もしくは水を消毒殺菌液にする殺菌及び消毒殺菌液を製造する電解殺菌外受タンクを提供する。【解決手段】特に水を貯めてその水の中にある細菌に対して電解殺菌を行ったり、水を消毒殺菌液にしたりする電解殺菌外受タンクである。該電解殺菌外受タンク１は、水を貯める納置空間を具え、且つ電解殺菌外受タンクの上方には飲用水を入れる開口箇所１２を具える。更に納置空間底面には，電解で殺菌物質を発生させ、水中の細菌を殺菌する電解殺菌器を設置する。電解殺菌器は電気連接する電源コードを具え、予め設置した電解水機２と電気連接し、電解殺菌外受タンク１に貯めた水に対して殺菌するか、もしくは水を次亜塩素酸ナトリウム含有の消毒殺菌液に生成する。【選択図】図１
0003147054.tif 000002
【実用新案登録請求の範囲】
【請求項１】
電解殺菌外受タンク内の水を電解殺菌するか、もしくは水を消毒殺菌液にする殺菌及び消毒殺菌液を製造する電解殺菌外受タンクにおいて、
該電解殺菌外受タンクは、貯水する納置空間を具え、且つ電解殺菌外受タンクの上方には飲用水が流入する開口箇所を具え、
該納置空間の底面には電解で殺菌物質を発生し水中の細菌に対して殺菌する電解殺菌器を設置し、電解殺菌器には電気連接する電源コードを具え、電源コード末端には予め設置した電解水機に電気連接する電源コネクターを設置することを特徴とする、殺菌及び消毒殺菌液を製造する電解殺菌外受タンク。
【請求項２】
前記電解殺菌外受タンクは、透明もしくは半透明材で製造し、且つ電解殺菌外受タンクには使用者が電解殺菌外受タンク内の水量を判断する目盛を設置することを特徴とする、請求項１に記載の殺菌及び消毒殺菌液を製造する電解殺菌外受タンク。
【請求項３】
前記電解水機は、水を多重濾過し、水中の有害物質を電解分離し、且つ電解水機には電源コネクターを連接してその電源を得るコンセントを設置することを特徴とする、請求項１に記載の殺菌及び消毒殺菌液を製造する電解殺菌外受タンク。
【考案の詳細な説明】
【技術分野】
【０００１】
本考案は、殺菌及び消毒殺菌液を製造する電解殺菌外受タンクに係り、特に貯水でき、更に水中の細菌に対して電解殺菌するか、もしくは水を消毒殺菌液にする電解殺菌外受タンクに関する。
【背景技術】
【０００２】
一般家庭は、容器に飲用水を貯蔵することが多い。使用者は、一日で使い切るとは限らず、残った水を長期間使用しなかったり、保存の仕方が適当でなかったりすると、細菌が繁殖してしまう。更に水を容器で使用し続けると、水自体にも大量の細菌を含むため、容器を洗浄する際、有効に細菌を取り除くことが出来ない。更に水中の細菌は往々にして容器に付着し、容器の使用者は細菌によって汚染されてしまうことがある。そのため、如何にして水中の細菌を除去し、飲用水の質を維持し容器使用者の安全を守り、細菌感染を防止するかが、課題となる。
【考案の開示】
【考案が解決しようとする課題】
【０００３】
解決しようとする問題点は、飲用水タンクに細菌が繁殖して利用者の健康を害してしまう点である。
【０００４】
即ち、電解殺菌外受タンク内に設置した電解殺菌器の電解で殺菌物質を発生させ、電解殺菌外受タンク内の水に対して殺菌を行い、貯めた飲用水を衛生的で安全なものにし、更に電解殺菌外受タンク内に設置した電解殺菌器で、塩化ナトリウム（塩）を含む水を電解殺菌器に通して電解することで水を次亜塩素酸ナトリウム含有の消毒殺菌液に変え、容器を殺菌消毒することを本考案の主な目的とする。
【課題を解決するための手段】
【０００５】
上述の目的のため、本考案の電解殺菌外受タンクは、一電解殺菌外受タンクを具え、電解殺菌外受タンク内には貯水する納置空間を具える。更に電解殺菌外受タンクの上方は飲用水が流入する開口箇所を具える。電解殺菌外受タンクの底部には電解で殺菌物質を発生し水中の細菌に対して殺菌する電解殺菌器を設置する。また電解殺菌器は電気連接する電源コードを設置し、予め設置した電解水機と電気連接する。
【０００６】
即ち、本考案は、特に水を貯めてその水の中にある細菌に対して電解殺菌を行ったり、水を消毒殺菌液にしたりする電解殺菌外受タンクである。該電解殺菌外受タンクは、水を貯める納置空間を具え、且つ電解殺菌外受タンクの上方には飲用水を入れる開口箇所を具える。更に納置空間底面には，電解で殺菌物質を発生させ、水中の細菌を殺菌する電解殺菌器を設置する。電解殺菌器は電気連接する電源コードを具え、予め設置した電解水機と電気連接し、電解殺菌外受タンクに貯めた水に対して殺菌するか、もしくは水を次亜塩素酸ナトリウム含有の消毒殺菌液に生成することを最も主要な特徴とする。
【考案の効果】
【０００７】
本考案の殺菌及び消毒殺菌液を製造する電解殺菌外受タンクは、水中の細菌に対して電解殺菌するか、もしくは水を消毒殺菌液にすることにより、利用者が衛生的な水を飲用できるという利点がある。
【考案を実施するための最良の形態】
【０００８】
図１と図２に示すとおり、本考案は電解殺菌外受タンク１及び電解水機２から構成される。そのうち、該電解殺菌外受タンク１は、透明もしくは半透明材で製造され、電解殺菌外受タンク１内には納置空間１１を具え、且つ電解殺菌外受タンク１上方には開口箇所１２を設置する。納置空間１１底面には電解殺菌器１３を設置し、電解殺菌器１３は電気連接する電源コード１４を有する。更に電源コード１４は電解殺菌外受タンク１の外に伸び、電源コード１４末端には一電源コネクター１４１を設置し、電解殺菌外受タンク１表面には使用者が電解殺菌外受タンク１内の水量を判断する目盛１５を設置する。
【０００９】
該電解水機２は、一筐体２１を設置し、筐体２１内にはフィルター槽２２を具え、且つフィルター槽２２は電解殺菌槽２３に連接する。電解殺菌槽２３を電解槽２４に連接し、また筐体２１外には濾過、殺菌及び電解を経た水を排出する出水管２５を設置し、筐体２１上には電源を供給するコンセント２６を設置する。
【００１０】
使用者が電解水機２を使用する時、該電解水機２に於いて、先ず水道水をフィルター槽２２へ入れ、フィルター槽２２によって多重濾過処理を行い、水道水をきれいにする。次にきれいになった水を電解殺菌槽２３へ送り、電解殺菌槽２３に於いて電解で殺菌物質を発生させ、水中の細菌を殺菌する。そして殺菌後の水を電解槽２４へ送り、電解槽２４に於いて水中の有害物質を電解分離し、電解槽２４内のプラス電極が酸性電解質、例としてイオウ、塩素、マイナスイオン等を吸収し、マイナス電極がアルカリ性電解質、例としてカルシウム、カリウム、ナトリウム、マグネシウム等プラスイオンを吸収する。電解槽２４で電解された水は健康を保つ効果があり、且つ電解後の水は出水管２５から流れ出し、電解殺菌外受タンク１の開口箇所１２から納置空間１１内へ流入し、使用者は電解殺菌外受タンク１から水を使用する。
【００１１】
更に、仮に電解殺菌外受タンク１内に貯水した飲用水を一定期間使用しない時、貯水が不適当であると、細菌が繁殖する可能性があり、飲用する時に水質が安全かどうか不安になるかもしれない。その場合、電解殺菌外受タンク１に設置した電源コネクター１４１を電解水機２に設置したコンセント２６に差し込み、電解殺菌器１３は電源コード１４によって稼動に必要な電源を受ける。電解殺菌器１３が電源によって稼動すると、該電解殺菌器１３は電解で殺菌物質を発生し、水中の細菌を殺菌する。これにより、電解殺菌外受タンク１内に貯めた水を再び安全な水にして不衛生な水で健康を害さないようにする。
【００１２】
別に電解殺菌外受タンク１の電解殺菌器１３には稼動前に、先ず水中に塩化ナトリウム（塩）を入れる。電解殺菌器１３が始動する時、水を次亜塩素酸ナトリウム含有の消毒殺菌液に変化させ、この消毒殺菌液で容器を洗浄し、同時に容器上に付着した細菌もしくは微生物（例：細菌繁殖体、細胞胞子、真菌、ウシ型結核菌…等）を取り除く。
【００１３】
又、該電解殺菌外受タンク１の底部一側に納置空間１１内の貯めた水出す開閉ノズル１６を設置し、電解殺菌外受タンクの上方の開口箇所１２に有上蓋１７を設置する。
【図面の簡単な説明】
【００１４】
【図１】本考案の使用時の説明図である。
【図２】本考案の外観図である。
【符号の説明】
【００１５】
１      電解殺菌外受タンク
１１    納置空間
１２    開口箇所
１３    電解殺菌器
１４    電源コード
１４１  電源コネクター
１５    目盛
１６    開閉ノズル
１７    上蓋
２      電解水機
２１    筐体
２２    フィルター槽
２３    電解殺菌槽
２４    電解槽
２５    出水管
２６    コンセント
【図１】
0003147054.tif 000003
【図２】
0003147054.tif 000004